(57)【要約】【課題】本発明は、羽根部の支持部への取付けにおいて、取付け作業時間を短縮することができることを目的とするものである。【解決手段】そして、この目的を達成するために本発明は、羽根部９は、支持部８に固定される根元部１０と、支持部８が回転することにより空気を送風する翼部１１とからなり、根元部１０には、少なくとも２箇所の引掛部１５を有し、支持部８には、引掛部１５に相対する位置に孔部１２を備え、孔部１２は、引掛部１５を挿入可能な第１の孔部分１３と、この第１の孔部分１３と連結した孔である第２の孔部分１４とを備え、第２の孔部分１４は、第１の孔部分１３の羽根部９の回転方向における上流側に位置し、引掛部１５を第１の孔部分１３に挿入し、引掛部１５を第１の孔部分１３から第２の孔部分１４へ移動させると引掛部１５が第２の孔部分１４に引っ掛かることを特徴とするものである。【選択図】図２
2015063982.tif 000002
【特許請求の範囲】
【請求項１】
天井に係合可能な連結部と、この連結部の下部に備えたモータ部と、このモータ部の周縁に回転自在に設けた円板形状の支持部と、この支持部に着脱可能な複数の羽根部とから構成し、この羽根部は、前記支持部に固定される根元部と、前記支持部が回転することにより空気を送風する翼部とからなり、前記根元部には、少なくとも２箇所の引掛部を有し、前記支持部には、前記引掛部に相対する位置に孔部を備え、前記孔部は、前記引掛部を挿入可能な第１の孔部分と、この第１の孔部分と連結した孔である第２の孔部分とを備え、前記第２の孔部分は、前記第１の孔部分の前記羽根部の回転方向における上流側に位置し、前記引掛部を前記第１の孔部分に挿入し、前記引掛部を前記第１の孔部分から前記第２の孔部分へ移動させると、前記引掛部が前記第２の孔部分に引っ掛かることを特徴とする天井扇風機。
【請求項２】
前記引掛部は、前記根元部の前記モータ部側の端部から下方に伸びた板形状の第１の引掛部分と、この第１の引掛部分の下端から前記羽根部の先端方向へ伸びた板形状の第２の引掛部分とからなり、前記第２の孔部分は、前記羽根部の回転方向に長い長方形で、短辺の長さが前記第１の引掛部分の厚み寸法が嵌る大きさで、前記根元部の下面と前記第２の引掛部分の上面との距離が支持部の厚み寸法が嵌る大きさであることを特徴とする請求項１に記載の天井扇風機。
【発明の詳細な説明】
【技術分野】
【０００１】
本発明は、天井から吊下げられた天井扇風機に関する。
【背景技術】
【０００２】
従来、この種の天井扇風機の構成は、以下のようになっていた。
【０００３】
すなわち、天井に係合可能な連結部と、この連結部の下部に備えたモータ部と、このモータ部の周縁に回転自在に設けた支持部と、この支持部に着脱可能に設けた複数の金属製の羽根部とから構成し、この羽根部は、前記支持部に固定される根元部と、前記支持部が回転することにより空気を送風する翼部を備えた構成となっていた。
【０００４】
例えば、これに類似する先行文献は下記特許文献１に記載されている。
【先行技術文献】
【特許文献】
【０００５】
【特許文献１】特開２００９−１２１２４３号公報
【発明の概要】
【発明が解決しようとする課題】
【０００６】
上記従来例における課題は、羽根部を支持部へ固定する作業の時間を短縮させることであった。
【０００７】
すなわち、羽根部を支持部へ固定する際に、まず羽根部の根元部を固定する位置に２箇所以上で締結されたねじを取外してから、または羽根部の根元部を固定する位置にねじが締結されていない場合は別途用意されたねじを用いて、羽根部の根元部と支持部を２箇所以上の締結により固定するため、羽根部は複数枚有するので、その取付け作業に時間がかかっていた。
【０００８】
そこで本発明は、羽根部の支持部への固定において、支持部に設けられた孔部分に羽根部の根元部に設けられた引掛部を挿入して引掛け固定することにより、ねじによる締結固定を無くすことで、取付け作業時間を短縮することができることを目的とするものである。
【課題を解決するための手段】
【０００９】
そして、この目的を達成するために本発明は、天井に係合可能な連結部と、この連結部の下部に備えたモータ部と、このモータ部の周縁に回転自在に設けた円板形状の支持部と、この支持部に着脱可能な複数の羽根部とから構成し、この羽根部は、前記支持部に固定される根元部と、前記支持部が回転することにより空気を送風する翼部とからなり、前記根元部には、少なくとも２箇所の引掛部を有し、前記支持部には、前記引掛部に相対する位置に孔部を備え、前記孔部は、前記引掛部を挿入可能な第１の孔部分と、この第１の孔部分と連結した孔である第２の孔部分とを備え、前記引掛部を前記第１の孔部分に挿入し、前記引掛部を前記第１の孔部分から前記第２の孔部分へ移動させると、前記引掛部が前記第２の孔部分に引っ掛かる構成とし、前記第２の孔部分は、前記第１の孔部分の前記羽根部の回転方向における上流側に位置することを特徴としたものであり、これにより所期の目的を達成するものである。
【発明の効果】
【００１０】
本発明によれば、天井に係合可能な連結部と、この連結部の下部に備えたモータ部と、このモータ部の周縁に回転自在に設けた円板形状の支持部と、この支持部に着脱可能な複数の羽根部とから構成し、この羽根部は、前記支持部に固定される根元部と、前記支持部が回転することにより空気を送風する翼部とからなり、前記根元部には、少なくとも２箇所の引掛部を有し、前記支持部には、前記引掛部に相対する位置に孔部を備え、前記孔部は、前記引掛部を挿入可能な第１の孔部分と、この第１の孔部分と連結した孔である第２の孔部分とを備え、前記引掛部を前記第１の孔部分に挿入し、前記引掛部を前記第１の孔部分から前記第２の孔部分へ移動させると、前記引掛部が前記第２の孔部分に引っ掛かる構成とし、前記第２の孔部分は、前記第１の孔部分の前記羽根部の回転方向における上流側に位置することを特徴とするものであり、羽根部を支持部へ固定する作業時間を短縮することができるものである。
【００１１】
すなわち、羽根部を支持部へ固定する際に、羽根部の根元部に少なくとも２箇所の引掛部が設けられ、支持部には支持部には羽根部の根元部に設けられた引掛部に相対する位置に引掛部を挿入可能な第１の孔部分と、この第１の孔部分には羽根部の回転方向における上流側に連結した第２の孔部分を備えることにより、羽根部の根元部に設けられた引掛部を第１の孔部分に挿入し、引続いてこの引掛部を第１の孔部分から第２の孔部分に移動させて引掛部を第２の孔部分に引掛け固定させることにより羽根部の根元部は支持部の所定の位置に配置することができる。
【００１２】
結果として、羽根部の支持部への固定において、支持部に設けられた孔部分に羽根部の根元部に設けられた引掛部を挿入して引掛け固定することにより、ねじによる締結固定を無くすことで、取付け作業時間を短縮することができるものである。
【図面の簡単な説明】
【００１３】
【図１】本発明の実施の形態１の天井扇風機の概要を示す図
【図２】同天井扇風機の羽根部と支持部の概要を示す図
【図３】同天井扇風機の羽根部の支持部への取付状態を示す図
【図４】同天井扇風機の羽根部の支持部への取付状態を示す図
【図５】本発明の実施の形態２の天井扇風機の支持部の孔部の概要を示す図
【図６】同天井扇風機の羽根部の根元部の引掛部の概要を示す図
【発明を実施するための形態】
【００１４】
本発明の請求項１記載の天井扇風機は、天井に係合可能な連結部と、この連結部の下部に備えたモータ部と、このモータ部の周縁に回転自在に設けた円板形状の支持部と、この支持部に着脱可能な複数の羽根部とから構成し、この羽根部は、前記支持部に固定される根元部と、前記支持部が回転することにより空気を送風する翼部とからなり、前記根元部には、少なくとも２箇所の引掛部を有し、前記支持部には、前記引掛部に相対する位置に孔部を備え、前記孔部は、前記引掛部を挿入可能な第１の孔部分と、この第１の孔部分と連結した孔である第２の孔部分とを備え、前記引掛部を前記第１の孔部分に挿入し、前記引掛部を前記第１の孔部分から前記第２の孔部分へ移動させると、前記引掛部が前記第２の孔部分に引っ掛かる構成とし、前記第２の孔部分は、前記第１の孔部分の前記羽根部の回転方向における上流側に位置するものである。
【００１５】
これにより、羽根部の根元部に少なくとも２箇所の引掛部が設けられ、支持部には支持部には羽根部の根元部に設けられた引掛部に相対する位置に引掛部を挿入可能な第１の孔部分と、この第１の孔部分には羽根部の回転方向における上流側に連結した第２の孔部分を備えることにより、羽根部の根元部に設けられた引掛部を第１の孔部分に挿入し、引続いてこの引掛部を第１の孔部分から第２の孔部分に移動させて引掛部を第２の孔部分に引掛け固定させることにより羽根部の根元部は支持部の所定の位置に配置することができ、ねじによる締結固定を無くすことができるので、取付け作業時間を短縮できるという効果を奏する。
【００１６】
また、前記引掛部は、前記根元部の前記モータ部側の端部から下方に伸びた板形状の第１の引掛部分と、この第１の引掛部分の下端から前記羽根部の先端方向へ伸びた板形状の第２の引掛部分とからなり、前記第２の孔部分は、前記羽根部の回転方向に長い長方形で、短辺の長さが前記第１の引掛部分の厚み寸法が嵌る大きさで、前記根元部の下面と前記第２の引掛部分の上面との距離が支持部の厚み寸法が嵌る大きさである構成にしてもよい。
【００１７】
これにより、羽根部の根元部に設けられた引掛部を第１の孔部分に挿入し、引続いてこの引掛部を第１の孔部分から第２の孔部分に移動させて羽根部の根元部を支持部の所定の位置に配置させたときに、羽根部の回転方向に長い長方形である第２の孔部分の短辺の長さが第１の引掛部分の厚み寸法に嵌る大きさで、かつ根元部の下面と第２の引掛部分の上面との距離が支持部の厚み寸法に嵌る大きさであることにより、第２の孔部分と引掛部に空隙が無くなるので、短時間のうちに羽根部の根元部を支持部に確実に堅固に引掛け固定できるという効果を奏する。
【００１８】
以下、本発明の実施の形態について図面を参照しながら説明する。
【００１９】
（実施の形態１）
図１は、本発明の実施の形態の天井扇風機の概要を示す図である。図２、図３、図４は、本発明の実施の形態の天井扇風機の羽根部と支持部への取付状態を示す図である。図５は、本発明の実施の形態の天井扇風機の支持部を示す図である。図６は、本発明の実施の形態の天井扇風機の引掛部を示す図である。
【００２０】
図１、図２に示すように、天井扇風機３は、天井１に固定される吊下部２を介して係合可能な構成である。天井扇風機３は、連結部４と、モータ部７と、羽根部９と、本体カバー部１８とを備えている。
【００２１】
天井扇風機３は上部に、吊下部２に吊下げ可能な連結部４を備えている。連結部４は、吊下部２に直接引っ掛けられるジョイント部５と、このジョイント部５の下部に係合された円筒形状のパイプ部６とから構成されている。パイプ部６の下部にはモータ部７が固定されている。モータ部７の上方から周縁にかけて略円板形状の支持部８が設けられている。この支持部８の周縁部に着脱可能な複数の羽根部９が固定される。この羽根部９は、モータ部７から外方水平方向に延びるように固定される。ここで、モータ部７が回転することにより、羽根部９が回転し、空気が羽根部９から下方へ送風される。
【００２２】
本実施形態における特徴は、羽根部９の支持部８への取付け構造にある。
【００２３】
具体的には、羽根部９は、支持部８に固定される根元部１０と、支持部８が回転することにより空気を送風する翼部１１とから形成している。根元部１０は、翼部１１に固定されている。根元部１０には、少なくとも２箇所の引掛部１５を有し、支持部８には、引掛部１５に相対する位置に孔部１２を備えている。孔部１２は、引掛部１５を挿入可能な第１の孔部分１３と、この第１の孔部分１３と連結した孔である第２の孔部分１４とを備えている。本実施形態では、羽根部９を３枚有するので、各羽根部９に２箇所の引掛部１５を設け、支持部８には、６箇所の孔部１２を有している。
【００２４】
ここで、羽根部９の支持部８への取付け方法を説明する。
【００２５】
まず、図３に示すように、引掛部１５を第１の孔部分１３に挿入する。次に、図４に示すように、引掛部１５を第１の孔部分１３から第２の孔部分１４へ移動させると、引掛部１５が第２の孔部分１４に引っ掛かるものである。
【００２６】
これにより、羽根部９の支持部８への取付ける場合に、引掛部１５を第１の孔部分１３に挿入し、引掛部１５を第１の孔部分１３から第２の孔部分１４へ移動させるだけなので、ねじによる締結固定を無くすことができ、取付け作業時間を短縮できる。
【００２７】
更に、第２の孔部分１４は、第１の孔部分１３の羽根部の回転方向における上流側に位置するものである。
【００２８】
これにより、モータ部７の回転によって、羽根部９が回転する場合に、この回転によって、引掛部１５は、第１の孔部分１３から第２の孔部分１４の方向へ移動するように力が働くものである。つまり、引掛部１５は、第２の孔部分１４で、第２の孔部分１４から第１の孔部分とは反対方向に移動するように押し付けられるので、羽根部９の回転によって、引掛部１５が、第２の孔部分１４から第１の孔部分１３の方向へ移動することを抑制できる。
【００２９】
更に、引掛部１５と孔部１２について詳しく説明する。
【００３０】
引掛部１５は、図６に示すように、根元部１０のモータ部７側の端部から下方に伸びた板形状の第１の引掛部分１６と、この第１の引掛部分１６の下端から羽根部９の先端方向へ伸びた板形状の第２の引掛部分１７とからなる。
【００３１】
孔部１２である第１の孔部分１３は、図５に示すように、支持部８の周縁部に設けられた四角形の開口である。この第１の孔部分１３の大きさは、第１の孔部分１３の上方より、引掛部１５を第２の引掛部分１７から挿入できる大きさである。
【００３２】
孔部１２である第２の孔部分１４は、羽根部９の回転方向に長い長方形の開口で、短辺の長さａが第１の引掛部分１６の厚み寸法が嵌る大きさである。根元部１０の下面と第２の引掛部分１７の上面との距離が支持部８の厚み寸法が嵌る大きさである。つまり、第１の孔部分１３の上方より、引掛部１５を第２の引掛部分１７から挿入後、第２の孔部分１４内に、第１の引掛部分１６を挿入できるものである。
【００３３】
これにより、羽根部９の根元部１０に設けられた引掛部１５を第１の孔部分１３に挿入し、引続いてこの引掛部１５を第１の孔部分１３から第２の孔部分１４に移動させて羽根部９の根元部１０を支持部８の所定の位置に配置させた時に、羽根部９の回転方向に長い長方形である第２の孔部分１４の短辺の長さａが第１の引掛部分１６の厚み寸法に嵌る大きさで、かつ根元部１０の下面と第２の引掛部分１７の上面との距離が支持部８の厚み寸法に嵌る大きさであることにより、第２の孔部分１４と引掛部１５に空隙が無くなるので、短時間のうちに羽根部９の根元部１０を支持部８に確実に堅固に引掛け固定できる。
【００３４】
なお、引掛部１５が、弾性変形する場合には、第２の引掛部分１７の先端側の上面と根元部１０の下面との距離は、第２の引掛部分１７の根元側の上面と根元部１０の下面との距離より短く、支持部８の厚み寸法より小さいものでも良い。引掛部１５および根元部１０の材質の１例は、金属である。
【００３５】
すなわち、第１の孔部分１３の上方より、引掛部１５を第２の引掛部分１７から挿入後、第２の孔部分１４内に、第１の引掛部分１６を挿入すると、第２の引掛部分１７の先端側が下方へ弾性変形しながら移動する。つまり、第２の引掛部分１７の先端側の上面と根元部１０の下面との距離が広がり、第２の孔部分１４内に、第１の引掛部分１６が嵌るものである。これにより、更に堅固に引掛け固定できる。
【産業上の利用可能性】
【００３６】
本発明によれば、天井に係合可能な連結部と、この連結部の下部に備えたモータ部と、このモータ部の周縁に回転自在に設けた円板形状の支持部と、この支持部に着脱可能な複数の羽根部とから構成し、この羽根部は、前記支持部に固定される根元部と、前記支持部が回転することにより空気を送風する翼部とからなり、前記根元部には、少なくとも２箇所の引掛部を有し、前記支持部には、前記引掛部に相対する位置に孔部を備え、前記孔部は、前記引掛部を挿入可能な第１の孔部分と、この第１の孔部分と連結した孔である第２の孔部分とを備え、前記引掛部を前記第１の孔部分に挿入し、前記引掛部を前記第１の孔部分から前記第２の孔部分へ移動させると前記引掛部が前記第２の孔部分に引っ掛かる構成とし、前記第２の孔部分は、前記第１の孔部分の前記羽根部の回転方向における上流側に位置することを特徴とするものであり、羽根部を支持部へ固定する作業時間を短縮することができるものである。
【００３７】
すなわち、羽根部を支持部へ固定する際に、羽根部の根元部に少なくとも２箇所の引掛部が設けられ、支持部には支持部には羽根部の根元部に設けられた引掛部に相対する位置に引掛部を挿入可能な第１の孔部分と、この第１の孔部分には羽根部の回転方向における上流側に連結した第２の孔部分を備えることにより、羽根部の根元部に設けられた引掛部を第１の孔部分に挿入し、引続いてこの引掛部を第１の孔部分から第２の孔部分に移動させて引掛部を第２の孔部分に引掛け固定させることにより羽根部の根元部は支持部の所定の位置に配置することができる。
【００３８】
結果として、羽根部の支持部への固定において、支持部に設けられた孔部分に羽根部の根元部に設けられた引掛部を挿入して引掛け固定することにより、ねじによる締結固定を無くすことで、取付け作業時間を短縮することができるものである。
【００３９】
従って、家庭用や事務用などの、天井扇風機としての活用が期待されるものである。
【符号の説明】
【００４０】
１  天井
２  吊下部
３  天井扇風機
４  連結部
５  ジョイント部
６  パイプ部
７  モータ部
８  支持部
９  羽根部
１０  根元部
１１  翼部
１２  孔部
１３  第１の孔部分
１４  第２の孔部分
１５  引掛部
１６  第１の引掛部分
１７  第２の引掛部分
１８  本体カバー部
【図１】
2015063982.tif 000003
【図２】
2015063982.tif 000004
【図３】
2015063982.tif 000005
【図４】
2015063982.tif 000006
【図５】
2015063982.tif 000007
【図６】
2015063982.tif 000008